(57)【要約】【課題】  効率よく画像データを記憶することができるとともに、画像データ記憶時の誤操作を防止する。【解決手段】  動画像データの格納対象となる記録メディアの空容量が少なくなると、その他の記録メディアを格納対象となる記録メディアとして設定すると共に、設定した記録メディアへ連続して動画撮影処理によって得られた動画像データを格納する。また、各記録メディアへのデータ格納時には、該記録メディアが装填されたカードスロットを、該記録メディアが挿抜不可能となるように、スロットカバー３６によりロックする。【選択図】  図１
2005064926.tif 000002
【特許請求の範囲】
【請求項１】
画像データを記憶する記憶媒体を装置本体に挿抜可能に保持する複数の保持手段と、
前記保持手段に保持された前記記憶媒体の各々を独立して装置本体からの離脱を阻止する阻止手段と、
撮影によって得られた画像データを前記記憶媒体へ格納する場合に、前記保持手段の何れか１つに保持された前記記憶媒体の離脱を阻止するように前記阻止手段を制御すると共に、該離脱が阻止された記憶媒体へ前記画像データを格納する制御手段と、
を備えたことを特徴とする撮像装置。
【請求項２】
前記保持手段は、保持する前記記憶媒体の挿抜口を各々有し、前記阻止手段は、前記挿抜口を閉塞する閉塞手段を含み、前記制御手段は、前記阻止手段に含まれる閉塞手段を保持された何れか１つの記憶媒体の挿抜口を閉塞するように制御することを特徴とする請求項１に記載の撮像装置。
【請求項３】
前記画像データは、動画像データであって、前記制御手段は、前記動画像データを複数の分割動画像データに分割する分割手段を含み、前記分割動画像データの少なくとも１つを前記離脱が阻止された記憶媒体へ格納し、該格納後に他の記憶媒体の何れか１つの離脱を阻止するように前記阻止手段を制御するとともに、該離脱が阻止された記憶媒体に前記格納した分割動画像データ以外の他の分割動画像データの内の少なくとも１つを格納することを特徴とする請求項１または請求項２に記載の撮像装置。
【請求項４】
前記制御手段は、前記分割動画像データの前記動画像データ上の位置を識別するための識別データを作成する作成手段を更に含み、前記識別データの各々を前記分割動画像データに付加して格納することを特徴とする請求項３に記載の撮像装置。
【請求項５】
前記制御手段は、前記離脱が阻止された前記記憶媒体の空容量を検知する検知手段を更に含み、前記分割手段は、前記動画像データから前記検知手段による空容量より少ない容量で動画像データを分割することを特徴とする請求項３または請求項４に記載の撮像装置。
【請求項６】
動画像データ上の位置を識別するための識別データが付与されかつ前記動画像データを分割した分割動画像データが記憶された記憶媒体を装置本体に挿抜可能に保持する複数の記憶媒体保持手段と、
前記記憶媒体保持手段の何れか１つに保持された前記記憶媒体の前記識別データに基づいて、分割動画像データの動画像を再生しかつ他の記憶媒体保持手段に保持された分割動画像データの動画像を連続して再生する再生制御手段と、
を備えたことを特徴とする撮像装置。
【請求項７】
画像データを記憶する記憶媒体を装置本体に挿抜可能に保持する複数の保有手段と、
前記保有手段に保持された前記記憶媒体の各々を独立して装置本体外部へ排出する排出手段と、
前記記憶媒体の前記排出手段による排出を阻止する排出阻止手段と
撮影によって得られた画像データを前記記憶媒体へ格納する場合に、前記保有手段の何れか１つに保持された前記記憶媒体へ前記画像データを格納すると共に、前記画像データを格納する前記記憶媒体に対して前記排出阻止手段を作動させる制御手段と、
を備えたことを特徴とする撮像装置。
【発明の詳細な説明】
【技術分野】
【０００１】
本発明は、撮像装置に係り、特にデジタルカメラ等の撮像装置に関する。
【背景技術】
【０００２】
従来、撮像装置、特にデジタルカメラでは、撮影によって得られた撮影画像の画像データや動画像データをメモリカード等の着脱可能な記録媒体に記録することが行われている。このデジタルカメラには、メモリが内蔵されており、この内蔵メモリにも画像データや動画像データを記録することができるものものもある（例えば、特許文献１参照）。このような技術では、記録媒体のデジタルカメラへの装填が検出された場合には、記録媒体に画像データを記録し、検出されない場合には、内蔵メモリに画像データを記憶することによって、記録媒体または内蔵メモリに画像データを記録することができる。
【特許文献１】特開平８−９８１２３号公報  （第２頁、図１）
【発明の開示】
【発明が解決しようとする課題】
【０００３】
しかしながら、上記技術では、内蔵メモリまたは記録媒体の何れか一方に画像データを記録するため、内蔵メモリまたは装填された記録媒体の空容量が不足すると、画像データの記録が困難となる場合があった。また、空容量不足時等に記録媒体を交換することも考えられるが、画像データの記録媒体への記録処理実行中に誤って挿抜される恐れがあった。
【０００４】
本発明は上記問題点を解決するためになされたもので、効率よく画像データを記憶することができるとともに、画像データ記憶時の誤操作を防止することができる撮像装置を提供することを目的とする。
【課題を解決するための手段】
【０００５】
上記目的を達成するために本発明は、画像データを記憶する記憶媒体を装置本体に挿抜可能に保持する複数の保持手段と、前記保持手段に保持された前記記憶媒体の各々を独立して装置本体からの離脱を阻止する阻止手段と、撮影によって得られた画像データを前記記憶媒体へ格納する場合に、前記保持手段の何れか１つに保持された前記記憶媒体の離脱を阻止するように前記阻止手段を制御すると共に、該離脱が阻止された記憶媒体へ前記画像データを格納する制御手段と、を備えることを特徴としている。
【０００６】
本発明の撮像装置は、複数の保持手段を備えており、各々画像データを記憶する記憶媒体を装置本体に対して挿抜可能に保持する。保持手段に保持された記憶媒体の各々は、阻止手段によって装置本体からの離脱を阻止される。撮影によって撮影画像の画像データが得られると、制御手段は、阻止手段を制御し、保持手段の何れか１つに保持された記憶媒体の離脱を阻止する。制御手段は、阻止手段により離脱を阻止された記憶媒体に、撮影によって得られた画像データを格納する。
【０００７】
このように複数の記憶媒体を挿抜可能に保持する撮像装置において、１つの記憶媒体の装置本体からの離脱を阻止し、離脱を阻止された記憶媒体へ画像データを格納することができるので、画像データを格納する記録媒体の画像データ格納時の誤挿抜を防止することができる。また、画像データを格納する記憶媒体のその他の記憶媒体には、阻止手段による阻止がなされないため、その他の記憶媒体は、ユーザに対して挿抜可能に提供することができる。
【０００８】
前記保持手段は、保持する前記記憶媒体の挿抜口を各々有し、前記阻止手段は、前記挿抜口を閉塞する閉塞手段を含み、前記制御手段は、前記阻止手段に含まれる閉塞手段を保持された何れか１つの記憶媒体の挿抜口を閉塞するように制御することができる。
【０００９】
記憶媒体は、保持手段各々に設けられた挿抜口を介して挿抜され、挿抜口は、閉塞手段によって閉塞される。制御手段は、何れか１つの挿抜口を閉塞手段により閉塞することによって、該挿抜口を有する保持手段に保持された記憶媒体の離脱を阻止する。このように、画像データを格納する記憶媒体の挿抜口を塞ぐことによって記憶媒体の離脱を阻止するので、画像データを格納する記憶媒体の外部からの挿抜を確実に防止することができる。
【００１０】
前記画像データは、動画像データであって、前記制御手段は、前記動画像データを複数の分割動画像データに分割する分割手段を含み、前記分割動画像データの少なくとも１つを前記離脱が阻止された記憶媒体へ格納し、該格納後に他の記憶媒体の何れか１つの離脱を阻止するように前記阻止手段を制御するとともに、該離脱が阻止された記憶媒体に前記格納した分割動画像データ以外の他の分割動画像データの内の少なくとも１つを格納することができる。
【００１１】
撮像装置は、動画撮影による動画像データを得ることができる。制御手段は、得られた動画像データを分割手段により複数の分割動画像データに分割する。制御手段は、分割された複数の分割動画像データの内の少なくとも１つを、阻止手段により離脱が阻止された記憶媒体に格納する。前記記憶媒体に複数の分割動画像データの内の少なくとも１つを格納すると、制御手段は、他の記憶媒体の離脱を阻止するように阻止手段を制御する。更に制御手段は、他の分割動画像データの内の少なくとも１つを、該離脱が阻止された他の記憶媒体に格納する。
【００１２】
このように、撮影によって得られた動画像データを複数の分割動画像データに分割するとともに、各分割動画像データを複数の記憶媒体各々に格納することができるので、複数の記憶媒体に効率よく動画像データを格納することができる。
【００１３】
前記制御手段は、前記分割動画像データの前記動画像データ上の位置を識別するための識別データを作成する作成手段を更に含み、前記識別データの各々を前記分割動画像データに付加して格納することができる。
【００１４】
分割されて異なる記憶媒体に格納された複数の分割動画像データを、分割前の動画像データとして扱う場合がある。そこで、作成手段は、分割した複数の分割動画像データの動画像データ上の位置を識別するための識別データを作成し、この識別データを対応する分割動画像データに付加して記憶媒体に格納する。このため分割された分割動画像データの分割前の動画像データにおける位置を、識別データから容易に提供することが可能となる。
【００１５】
前記制御手段は、前記離脱が阻止された前記記憶媒体の空容量を検知する検知手段を更に含み、前記分割手段は、前記動画像データから前記検知手段による空容量より少ない容量で動画像データを分割することができる。
【００１６】
分割動画像データの容量が、格納する記憶媒体の空容量より大きい場合がある。そこで、検知手段は、離脱が阻止された分割動画像データを記憶するための記憶媒体の空容量を検知する。分割手段は、検知手段による空容量内の分割動画像データとなるように動画像データを分割し、離脱が阻止された記憶媒体に記憶することができる。このため、１つの記憶媒体の空容量に依存せず、効率よく動画像データを分割して複数の記憶媒体に格納することができる。
【００１７】
本発明の撮像装置は、動画像データ上の位置を識別するための識別データが付与されかつ前記動画像データを分割した分割動画像データが記憶された記憶媒体を装置本体に挿抜可能に保持する複数の記憶媒体保持手段と、前記記憶媒体保持手段の何れか１つに保持された前記記憶媒体の前記識別データに基づいて、分割動画像データの動画像を再生しかつ他の記憶媒体保持手段に保持された分割動画像データの動画像を連続して再生する再生制御手段と、を備えることができる。
【００１８】
本発明の撮像装置は、複数の記憶媒体保持手段を備えており、複数の記憶媒体各々を独立して装置本体に挿抜可能に保持する。記憶媒体には、動画像データを分割した分割動画像データが記憶されており、該分割動画像データには、該分割動画像データの分割前の動画像データ上の位置を識別するためのデータが付与されている。再生制御手段は、記憶媒体保持手段の内の何れか１つに保持された記憶媒体に格納された分割動画像データ、及びその他の記憶媒体保持手段に保持された分割動画像データを、各々の識別データに応じて連続して再生する。
【００１９】
識別データに応じて複数の分割動画像データを連続して再生することができるため、分割前の動画像データにおける位置に応じた分割動画像データの連続再生が可能となる。
【００２０】
本発明の撮像装置は、画像データを記憶する記憶媒体を装置本体に挿抜可能に保持する複数の保有手段と、前記保有手段に保持された前記記憶媒体の各々を独立して装置本体外部へ排出する排出手段と、前記記憶媒体の前記排出手段による排出を阻止する排出阻止手段と、撮影によって得られた画像データを前記記憶媒体へ格納する場合に、前記保有手段の何れか１つに保持された前記記憶媒体へ前記画像データを格納すると共に、前記画像データを格納する前記記憶媒体に対して前記排出阻止手段を作動させる制御手段と、を備えたことを特徴としている。
【００２１】
本発明の撮像装置は、複数の保有手段を備えており、各々の保有手段に画像データを記憶する記憶媒体を挿抜可能に保有する。保有手段に保持された各々の記憶媒体は、排出手段によって装置本体外部へ排出される。制御手段は、撮影によって得られた画像データを、保有手段の何れか１つに保持された記憶媒体へ格納する。画像データの格納時には、制御手段は、画像データを格納する記憶媒体の排出手段による排出を阻止するために排出阻止手段を作動させる。このように、画像データの記憶媒体への格納時には、該記憶媒体の排出手段による排出が阻止されるため、画像データを格納する記憶媒体の誤挿抜を防ぐことができる。また、画像データを格納する記憶媒体のその他の記憶媒体には、排出阻止手段による阻止がなされないため、その他の記憶媒体は、ユーザに対して挿抜可能に提供することができる。
【発明の効果】
【００２２】
以上説明したように、本発明の撮像装置によれば、複数の記憶媒体を挿抜可能に保持するとともに、保持する複数の記憶媒体の内の１つについて装置本体からの離脱を阻止し、離脱を阻止された記憶媒体へ画像データを格納することができるので、画像データを格納する記録媒体の画像データ格納時の誤挿抜を防止することができる、という効果が得られる。
【発明を実施するための最良の形態】
【００２３】
本発明の撮像装置に係るデジタルカメラの一の実施の形態を図面に基づき説明する。
【００２４】
[第１の実施の形態]
図1には、本実施の形態に係るデジタルカメラ１０の外観を示す正面図、背面図及び側面図をを示した。
【００２５】
図１（Ａ）に示すように、デジタルカメラ１０の筐体１２の正面には、被写体像を結像させるためのレンズ１４、撮影範囲等を目視で確認するためのファインダ１６、低照度での撮影等の場合に照明光を発するためのフラッシュ装置１８が取付けられている。筐体１２の上面には、モードダイヤル２４、及び電源スイッチ２６が設けられおり、モードダイヤル２４の中央部はシャッタボタン２８となっている。モードダイヤル２４は、撮影によって動画像データを得る動画像モード、及び撮影によって得られた動画像を後述するＬＣＤ３４に表示する再生モード等の中から、ユーザ所望の処理を選択するためのものである。
【００２６】
本実施の形態では、デジタルカメラ１０には、上記動画像モード及び再生モードの２種のモードが用意されている場合を説明するが、デジタルカメラ１０に搭載可能なモードは、上記モードに限られるものではなく、例えば、撮影によって静止画像の静止画像データを得るモード等を搭載してもよい。
【００２７】
また、シャッタボタン２８は、モードダイヤル２４で動画像モードが選択されている場合、ユーザの操作による全押しで動画撮影処理が開始された後に再度ユーザの操作により全押しされることによって動画撮影処理が終了するようになっている。電源スイッチ２６は、ユーザがデジタルカメラ１０の各部への電力の供給／供給停止の切り換えを行うときに操作するためのものである。
【００２８】
また、図１（Ｂ）に示すように、筐体１２の背面には、ＬＣＤ３４が設けられている。ＬＣＤ３４の近傍には、メニューボタン３８、十字ボタン４０、及び実行ボタン４２等の各種選択ボタンが設けられている。メニューボタン３８は、ユーザがＬＣＤ３４へ各種メニュー項目を表示するときに操作するためのものである。十字ボタン４０は、ユーザがＬＣＤ３４に表示された各種メニューから任意のメニュー項目を選択する際に操作するためのものである。実行ボタン４２は、ユーザが各項目の実行開始を指示するときに操作するためのものである。なお、メニューボタン３８、十字ボタン４０、実行ボタン４２、電源スイッチ２６、モードダイヤル２４、及びシャッタボタン２８は、本実施の形態では、スイッチ３７として機能する構成を採用する。
【００２９】
図１（Ｃ）に示すように、筐体１２の側面には、スマートメディア等の記録メディア２０、記録メディア２２（図１（Ａ）参照）を装填可能なカードスロット３０、カードスロット３２が設けられている。記録メディア２０及び記録メディア２２は、撮影画像の画像データや動画像データを格納するためのものである。また、筐体１２の側面には、カードスロットカバー（以下、カバーという）３６が設けられている。カバー３６は、カードスロット３０またはカードスロット３２に装填された記録メディア２０、記録メディア２２の外部への挿抜を阻止、すなわちロックするように設けられる。詳細には、カバー３６は、図１（Ｃ）及び図１（Ｄ）に示すように、カードスロット３０の取出口及びカードスロット３２の取出口間を後述するＣＰＵの制御によって駆動可能に設けられている。
【００３０】
図２には、本実施の形態に係るデジタルカメラ１０の主要構成をブロック図として示した。デジタルカメラ１０は、ＣＣＤ４４を備えている。このＣＣＤ４４は、レンズ１４により得られる被写体からの反射光を撮影画像を示すアナログ画像データ（以下、画像データという）に変換して出力するためのものである。また、デジタルカメラ１０は、ＣＰＵ４６、ＲＯＭ４８、及びＲＡＭ５０からなるマイクロコンピュータを含んで構成される。これらのデバイスは、データやコマンドの授受が可能なようにバス５３で接続されている。また、デジタルカメラ１０には、メモリ５２が設けられている。メモリ５２には、バス５３が接続されている。
【００３１】
上記ＲＯＭ４８は、各種プログラムや各種データ等を記憶するためのものである。ＲＡＭ５０は、主として各種プログラムによって生成されるデータを記憶するためのものである。メモリ５２は、各種データを記憶するためのものであり、その中に、上記カバー３６がカードスロット３０側またはカードスロット３２側のどちら側にあるかを示すカバー３６の位置状態を示すデータや、上記カバー３６の駆動により、記憶メディアの挿抜がロックされたカードスロットを示す情報等を記憶する。
【００３２】
また、バス５３には、ＬＣＤ３４、Ｉ／Ｏポート５４、及び駆動部５６が接続されている。Ｉ／Ｏポート５４には、上記各種スイッチから構成されるスイッチ３７が接続されている。駆動部５６には、カバー３６が接続されている。駆動部５６は、カバー３６をＣＰＵ４６の制御によってカードスロット３０側またはカードスロット３２側の何れか一方へ駆動するためのものである。
【００３３】
また、バス５３には、インターフェース（以下、Ｉ／Ｆという）５８及びＩ／Ｆ６０が接続されている。Ｉ／Ｆ５８及びＩ／Ｆ６０は、動画像データを、各々カードスロット３０に装填された記録メディア２０及びカードスロット３２に装填された記録メディア２２へ出力するためのものである。記録メディア２０及び記録メディア２２は、各々、カードスロット３０及ぶカードスロット３２に装填されることによって、各々Ｉ／Ｆ５８及びＩ／Ｆ６０に接続可能である。記録メディア２０及び記録メディア２２は、同様の構成であって、一例としては、ＩＣカードなどのメモリ媒体がある。なお、本実施の形態では、カードスロット３０には、記録メディア２０が装填され、カードスロット３２には、記録メディア２２が装填される場合を説明するが、このような形態に限られるものではなく、記録メディア２０及び記録メディア２２と同様の構成のその他の記録メディアを装填するようにしてもよい。
【００３４】
上記マイクロコンピュータ、メモリ５２、ＬＣＤ３４、Ｉ／Ｏ５４、Ｉ／Ｆ５８、Ｉ／Ｆ６０、及び駆動部５６は、バス５３を介して、互いにデータやコマンドの授受が可能な構成となっている。
【００３５】
なお、上記カードスロット３０及びカードスロット３２が本発明の撮像装置の保持手段、記憶媒体保持手段、及び保有手段に相当し、スロットカバー３６が阻止手段及び閉塞手段に相当する。
【００３６】
次に、上記実施の形態に係るデジタルカメラ１０の作用を説明する。
【００３７】
なお、本実施の形態では、説明を簡略化するために、カードスロット３０に装填される記録メディア２０として、記録メディアＡを用意し、カードスロット３２に装填される記録メディア２２として記録メディアＢを用意するものとして説明する。また同様に、記録メディアＡを装填するカードスロット３０をカードスロットＡとし、記録メディアＢを装填するカードスロット３２をカードスロットＢとして説明する。
【００３８】
図３には、ＣＰＵ４６で実行される処理ルーチンを示した。電源スイッチ２６によりデジタルカメラ１０に電源が投入されるとステップ１００に進み、モード状態確認処理が実行される。モード状態の確認処理は、メモリ５２に記憶されたモードダイヤル２４の状態を表すデータを読み取ることによって可能である。本実施の形態では、モードダイヤル２４の状態としては、ユーザのモードダイヤル２４の操作により、撮影によって動画像データを得る動画像モードが選択された場合、及び撮影によって得られた動画像をＬＣＤ３４に表示する再生モードが選択された場合がある。これらの状態を表すデータは、デジタルカメラ１０に電源が投入された後に、モードダイヤル２４がユーザによって操作されることによって入力され、モードダイヤル２４の状態を表すデータとしてメモリ５２に記憶される。このメモリ５２に記憶されたモードダイヤル２４の状態を表すデータを確認することによって、モードダイヤル状態を確認することができる。
【００３９】
次にステップ１０２では、撮影モードが選択されているか否かを判断する。ステップ１０２の判断は、メモリ５２に記憶されたモードダイヤル２４の状態を表すデータが、撮影モードを表すデータであるか否かを判別することによって判断可能である。
【００４０】
ステップ１０２で肯定されると、ステップ１０４へ進み、記録メディアＡ及び記録メディアＢの空容量読み取り処理が実行される。ステップ１０４の処理は、カードスロットＡに装填された記録メディアＡ及び、カードスロットＢに装填された記録メディアＢの空容量を読み取るものである。
【００４１】
次にステップ１０８では、上記ステップ１０４で読み取った記録メディアＡの空容量が所定サイズ以上あるか否かを判断する。ステップ１０８の判断は、例えは、デジタルカメラ１０の撮影によって得られる静止画像の静止画像データ１件分のデータ容量を所定サイズとし、記録メディアＡの空容量がこの所定サイズ以上である場合に、最低容量の動画像データを記憶可能な状態にあると判別するようにすればよい。なお、本実施の形態では、上記のように所定サイズを定めるが、このような形態に限られるものではない。例えば、撮影によって得られる静止画像データの画素数により所定サイズを変更可能に定めるようにしてもよい。
【００４２】
ステップ１０８で肯定されると、ステップ１１０へ進み、上記ステップ１０８の判断と略同様に、記録メディアＢの空容量が所定サイズ以上であるか否かを判断する。ステップ１１０で否定されると、ステップ１１４へ進み、肯定されると、ステップ１１２へ進む。
【００４３】
ステップ１１２では、記録メディアＡの空容量が記録メディアＢの空容量より大きいか否かを判断し、肯定されるとステップ１１４へ進み、カードスロットＡ側のロック処理が実行される。ステップ１１４の処理は、駆動部５６へカバー３６のカードスロットＡ側への移動を示す信号を出力するものである。ステップ１１４の処理によって、例えば、図１（Ｄ）に示すようにカバー３６が記録メディアＡの装填されたカードスロットＡ側へ駆動する。このため、記録メディアＡはカードスロットＡからユーザの操作による挿抜が不可能となるようにロックされるとともに、記録メディアＢは、カードスロットＢからユーザの操作により挿抜可能となる。次にステップ１１６において、カバー３６が記録メディアＡ側に位置することを示す情報をメモリ５２に記憶する。
【００４４】
次にステップ１１８では、ＬＣＤ３４へ、カードスロットＢに装填された記録メディアＢが交換可能な状態にあることを示す情報を表示する。例えば、ステップ１１８の処理によって、図４（Ｂ）に示すように、カードスロットＢに装填された記録メディアが交換可能な状態にあることを示す情報がＬＣＤ３４へ表示される。次にステップ１２０において、詳細を後述する動画撮影処理が実行された後に、本ルーチンを終了する。
【００４５】
上記ステップ１１２で否定されると、ステップ１２４へ進み、駆動部５６へカバー３６のカードスロットＢ側への移動を示す信号を出力することにより、カードスロットＢ側のロック処理が実行される。ステップ１２４の処理によって、図１（Ｃ）に示すようにカバー３６が記録メディアＢの装填されたカードスロットＢ側へ駆動する。このため、記録メディアＢはカードスロットＢから挿抜不可能となるようにロックされ、記録メディアＡは、カードスロットＡから挿抜可能となる。
【００４６】
次にステップ１２６では、カバー３６の位置情報をメモリ５２へ記憶する。次にステップ１２８において、ＬＣＤ３４へ、カードスロットＡに装填された記録メディアＡが交換可能な状態にあることを示す情報を表示した後に、本ルーチンを終了する。例えば、ステップ１２８の処理によって、図４（Ａ）に示すように、カードスロットＡに装填された記録メディアＡが交換可能な状態にあることを示す情報がＬＣＤ３４へ表示される。
【００４７】
上記ステップ１０４乃至ステップ１２８の処理によって、カードスロットＡ及びカードスロットＢ各々に装填された記録メディアＡ及び記録メディアＢの内、より空容量の多い記録メディアが各々のカードスロットから挿抜不可能となるようにロックされる。このため、デジタルカメラ１０に装填された複数の記録メディアの内、より空容量の少ない記録メディアが交換可能な状態となる。また、より空容量の多い記録メディアを、動画像データの記録対象となる記録メディアとして選択することができる。
【００４８】
上記ステップ１０８で否定されると、ステップ１２２へ進み、上記ステップ１１０と略同様に、記録メディアＢの空容量が所定サイズ以上であるか否かを判断し、肯定されると上記ステップ１２４へ進み、否定されるとステップ１３０へ進む。ステップ１３０では、カードスロットＡ及びカードスロットＢ各々に装填された記録メディアＡ及び記録メディアＢの双方において、空容量不足であることを示す情報をＬＣＤ３４に表示した後に、本ルーチンを終了する。
【００４９】
一方、上記ステップ１０２で否定されると、ステップ１３２へ進み、再生モードが選択されているか否かを判断する。ステップ１３２の判断は、メモリ５２に記憶されたモードダイヤル２４の状態を表すデータが、再生モードを表すデータであるか否かを判別することによって判断可能である。ステップ１３２で否定されると、本ルーチンを終了し、肯定されると、詳細を後述する再生処理１３４を実行した後に、本ルーチンを終了する。
【００５０】
次に上記ステップ１２０で実行される動画撮影処理について、図５に示す処理ルーチンを用いて説明する。
【００５１】
ステップ２００では、撮影開始指示がなされるまで否定判断を繰り返し、肯定されるとステップ２０２へ進む。ステップ２００の判断は、シャッタボタン２８による信号受信によって押圧操作されたか否かを判断することによって可能である。
【００５２】
ステップ２０２では、動画撮影処理が実行される。ステップ２０２の処理は、被写体を撮影するときにおけるＣＣＤ４４で各種調整を行って、連続的に撮影画像の画像データを得るものである。例えば、１秒間に１０フレーム分の被写体像が得られるシャッタスピード、絞り値等が設定され、フレームが連続するように撮影画像の画像データが生成される。ステップ２０２で取り込まれた画像データは、メモリ５２に一時的に記憶され、これにより動画像データが得られる。
【００５３】
なお、図示は省略するが、本ルーチンの実行中には、所定時間毎に割り込み処理が実行され、撮影終了指示が入力されるまで否定判断を繰り返す。この撮影終了の判断は、シャッタボタン２８による信号受信によって押圧操作されたか否かを判断することによって可能である。撮影終了指示が入力されると、上記ステップ２０２の動画撮影処理を終了し、ステップ２０４へ進む。
【００５４】
次にステップ２０４では、格納メディアの設定処理が実行される。ステップ２０４の処理は、動画像データを格納する対象となる記録メディア（以下、該当メディアという）を設定する処理であり、メモリ５２に記憶されたカバー３６の位置を示すデータを読取ることによって、設定することができる。次にステップ２０６において、上記ステップ２０４で設定した該当メディアの空容量を読み取る読取処理が実行される。
【００５５】
次にステップ２０８において、メモリ５２に記憶された動画像データの容量が、上記ステップ２０６で読取った該当メディアの空容量より小さいか否かを判断する。ステップ２０８で肯定されると、ステップ２１０へ進む。ステップ２０８で肯定される場合とは、動画像撮影処理が終了され、メモリ５２内の動画像データ容量が該当メディアの空容量より小さい状態等である。
【００５６】
ステップ２１０では、動画像データのファイル名作成処理が実行される。ステップ２１０の処理は、該動画像データを識別可能なファイル名を作成するものである。次のステップ２１２において、作成したファイル名と上記ステップ２０２の動画撮影処理によって得られた動画像データとを関連付けて記録メディアＡに格納する格納処理が実行される。次にステップ２１４において、メモリ５２に格納された各種データをクリアした後に、本ルーチンを終了する。
【００５７】
一方、上記ステップ２０８で否定されると、ステップ２１６へ進み、カードスロットＡに装填された記録メディアＡと、カードスロットＢに装填された記録メディアＢとの間で、上記ステップ２０２の動画撮影処理によって得られた動画像データを連続して格納する連続格納処理が実行（詳細後述）された後に、本ルーチンを終了する。
【００５８】
次に、上記ステップ２１６で実行されるメディア連続格納処理について説明する。
【００５９】
図６に示すようにステップ３００では、抽出データ量の設定処理が実行される。ステップ３００の処理は、メモリ５２に格納された動画像データから、該当メディアに格納可能な抽出データ量を設定するものである。
【００６０】
次にステップ３０２では、格納用動画像データ作成処理が実行される。ステップ３０２の処理は、上記ステップ３００で設定された抽出データ量に相当する複数の連続する静止画像データを、メモリ５２に格納された動画像データの先頭フレームから格納順に抽出することによって、該当メディアに格納するための格納用動画像データを作成するものである。ステップ３０２の処理によって、メモリ５２には、上記ステップ３００で設定した抽出データ量に相当する格納用動画像データと、前記格納用動画像データ以外の動画像データ（以下、残存データという）が記憶された状態となる。
【００６１】
次にステップ３０４では、ファイル名作成処理が実行される。ステップ３０４の処理は、上記ステップ３０２で作成した格納用動画像データを識別可能なファイル名を作成するものである。ステップ３０４で作成するファイル名は、格納用動画像データと残存データとが、互いに連続する動画像データであることを示すことができるように作成される。
【００６２】
例えば、ファイル名は、上記ステップ２０２でメモリ５２に格納された動画像データの内の一部であることを示す情報とともに、該動画像データにおける位置、例えば、先頭、末尾を示す情報や、シリアル番号のような位置情報を含んで構成される。
【００６３】
次にステップ３０６では、上記ステップ３０４で作成したファイル名と、上記ステップ３０２で作成した格納用動画像データを関連付けて該当メディアに格納する。
【００６４】
次にステップ３０８では、該当カードスロットのロック解除処理が実行される。ステップ３０８の処理は、上記ステップ１１４またはステップ１２４の処理においてロックされたカードスロットについて、駆動部５６へカバー３６の移動を示す信号を出力することにより、ロックを解除するものである。
【００６５】
ステップ３０８の処理によって、カバー３６は、該当カードスロット側から非該当カードスロット側へ駆動する。このため、ステップ３０８の処理によって、次カードスロット、すなわち、他方のカードスロットに装填された記録メディア（以下、次メディアという）が、次の格納対象となる記録メディアとして設定されると同時に、次メディアの装填されたカードスロット側がロックされる。次にステップ３１０において、上記ステップ１１８と同様に、ＬＣＤ３４へ交換可能な状態にある記録メディアを示す情報を表示する。このため、空挿抜可能な状態の記録メディアを、ユーザに提示することができる。
【００６６】
次にステップ３１２では、上記ステップ２０６の処理と同様に、次メディアの空容量を読取る空容量読取処理が実行される。次にステップ３１４において、メモリ５２に格納されている残存データの容量が、上記ステップ３１２で読取った次メディアの空容量より小さいか否かを判断する。ステップ３１４で否定されると上記ステップ３００へ戻り、肯定されるとステップ３１６へ進む。この肯定される場合には、上記ステップ２０８と同様に、動画像処撮影処理が終了して、メモリ５２の残存データの容量が該当メディアの空容量より少なくなった場合がある。
【００６７】
ステップ３１６では、格納用動画像データ作成処理が実行される。ステップ３１６の処理は、メモリ５２に残存する残存データを格納用動画像データとして作成するものである。ステップ３１６の処理によって、メモリ５２には、残存データは存在せず、格納用動画像データのみが記憶された状態となる。
【００６８】
次にステップ３１８では、ファイル名作成処理が実行される。ステップ３１８の処理は、上記ステップ３１６で作成した格納用動画像データを識別可能なファイル名を作成するものである。ステップ３１８で作成するファイル名は、上記ステップ３０４と略同様に、上記ステップ２０２の動画撮影処理によって得られた動画像データの一部であることを示す情報と共に、該動画像データにおける末尾のデータであることを示す位置情報を含んで構成される。
【００６９】
次にステップ３２０では、上記ステップ３１８で作成したファイル名と、上記ステップ３１６で作成した格納用動画像データを関連付けて格納対象となる記録メディアに格納した後に、本ルーチンを終了する。
【００７０】
なお、上記ステップ３００乃至ステップ３１４の処理が、本発明の撮像装置の分割手段の機能に相当する。また、上記ステップ３０４及びステップ３１８の処理が、作成手段の機能に相当し、ステップ２０８及びステップ３１４の処理が、検知手段の機能に相当する。
【００７１】
なお、図６の処理ルーチンにおいて、ステップ３０６の処理の後に、次カードスロットに空容量が所定サイズ以上の記録メディアが装填されているか否かを判断し、装填されている場合にのみ、ステップ３０８へ進み、装填されていない場合には、ＬＣＤ３４へエラーメッセージを表示した後に本ルーチンを終了するようにしてもよい。このようにすることによって、充分な空容量がある記録メディアが新たに用意されていない場合にも対応することが可能となる。
【００７２】
上記ステップ３００乃至ステップ３１４の処理が繰り返されることによって、例えば、図７に示すように、動画撮影処理によって得られる動画像データ６６の先頭フレーム７０からカードスロットＡに装填された記録メディアＡに格納可能なデータ量の連続する静止画像データ７２が抽出され、動画像データ“ＤＳＣＦ０００１ａ．ＡＶＩ”が記録メディアＡに記録される（プロセス（１））。
【００７３】
次にカードスロットＡのロックが解除されて、次カードスロット、すなわちカードスロットＢがロックされると（ステップ３０８）、プロセス（２）へ移行し、メモリ５２の残存データから、カードスロットＢに装填された記録メディアＢに格納可能なデータ量の連続する静止画像データ７４が抽出され、動画像データ“ＤＳＣＦ０００１ｂ．ＡＶＩ”が記録メディアＢに記録される。
【００７４】
更にカードスロットＢのロックが解除されて、次カードスロット、すなわちカードスロットＡがロックされると、プロセス（３）へ移行し、メモリ５２の残存データから、カードスロットＡに装填された記録メディアＣに格納可能なデータ量の連続する静止画像データ７６が抽出されて、動画像データ“ＤＳＣＦ０００１ｃ．ＡＶＩ”が記録メディアＣに記録される。
【００７５】
このように、交換可能な状態にある記録メディアを順次交換することによって、記録メディアの容量に依存せず、連続して動画像データを記憶することが可能となる。
【００７６】
上述のように、複数の記録メディアに分割して格納された動画像データを、再生する場合がある。
【００７７】
そこで、上記ステップ１３４で実行される再生処理について、図８に示す処理ルーチンを用いて説明する。なお、本実施の形態では、説明を簡略化するために、上記ステップ２０２で得られた動画像データの先頭フレームを含む動画像データが格納された記録メディアを記録メディアＡとし、該記録メディアＡがカードスロットＡに装填され、記録メディアＡに格納された動画像データに連続する動画像データを格納した記録メディアを記録メディアＢとして該記録メディアＢがカードスロットＢに装填されるものとして説明する。
【００７８】
ステップ４００では、再生指示がなされるまで否定判断を繰り返し、肯定されるとステップ４０２へ進む。この再生指示は、上記ステップ２０２の動画撮影処理によって得られた動画像データの動画像をＬＣＤ３４に表示するための指示である。ステップ４００の判断は、スイッチ３７の押圧指示を判別することで可能である。
【００７９】
例えば、ＬＣＤ３４に動画像再生項目を含むメニューを表示し、表示された各種メニュー項目の中から動画像再生項目がユーザによる十字ボタン４０の操作で選択された後に、実行ボタン４２が押圧操作されたときに動画像再生指示信号を出力するようにする。この動画像再生指示信号が出力されたか否かを判断することによって、動画像再生指示がなされたか否かを判断することが可能である。
【００８０】
ステップ４００で肯定されると、ステップ４０２へ進み、上記ステップ１１４と同様にカードスロットＡ側へのカバー３６駆動処理が実行される。次にステップ４０４において、カードスロットＡに装填された記録メディアＡから動画像データを読取り、次のステップ４０６において読取った動画像データをメモリ５２に記憶する。
【００８１】
次にステップ４０８では、続動画像データが有ることを示す指示がなされたか否かを判断する。ステップ４０８の判断は、上記ステップ４０４で読取った動画像データに連続する動画像データが上記ステップ４０４で読取った以外の記録メディアに記憶されているか否かを判断するものである。ステップ４０８の判断は、スイッチ３７の押圧指示を判別することで可能である。
【００８２】
ステップ４０８で否定されると、ステップ４２０へ進み、肯定されると、ステップ４１０へ進む。ステップ４１０では、上記ステップ１２４と同様に、カードスロットＢ側へのカバー３６駆動処理が実行される。次にステップ４１２では、カードスロットＢに装填された記録メディアＢから動画像データを読取り、次のステップ４１４において読取った動画像データをメモリ５２に記憶する。次にステップ４１６において、上記ステップ４０８と同様に、続動画像データが有るか否かを判断し、肯定されると上記ステップ４０２へ戻る。
【００８３】
上記ステップ４１６で否定されると、ステップ４１８へ進み、動画像データ合成処理が実行される。ステップ４１８の処理は、上記ステップ４０６及びステップ４１４の処理によってメモリ５２に格納された動画像データのファイル名に含まれる、上記ステップ２０２の動画撮影処理によって得られた動画像データの一部であることを示すデータと、該動画像データにおける位置情報とに応じて、読取った複数の動画像データを連続するように並び替えることによって合成するものである。次にステップ４２０において、上記ステップ４１８で合成した動画像データをＬＣＤ３４に表示することによって再生した後に、本ルーチンを終了する。
【００８４】
なお、上記４０２乃至ステップ４２０の処理が、本発明の撮像装置の再生制御手段の機能に相当する。
【００８５】
なお、本実施の形態では、上記ステップ４０８及びステップ４１６において、スイッチ３７からの指示によって続画像データが有ることを判別する場合を説明したが、このような形態に限られるものではない。例えば、記録メディアに記録されたファイル名を読取り、このファイル名から続画像データがあるか否かを判別するようにしてもよい。この場合、この続動画像データが有るか否かの判断は、該動画像データのファイル名に含まれる位置情報として、末尾を示す情報が含まれているか否かを判別することによって、判断すればよい。
【００８６】
以上説明したように、本実施の形態のデジタルカメラ１０では、上記図５及び図６に示す処理ルーチンが繰り返されることによって、動画像データの格納対象となる記録メディアの空容量が少なくなると、その他の記録メディアを格納対象となる記録メディアとして設定すると共に、設定した記録メディアへ連続して動画撮影処理によって得られた動画像データを格納することができる。
【００８７】
また、各記録メディアへのデータ格納時には、該記録メディアが装填されたカードスロットを、該記録メディアが挿抜不可能となるように、ロックすることができるので、ユーザによる記録メディアの誤挿抜を防ぐことができる。
【００８８】
また、動画撮影によって得られた動画像データが、複数の記録メディアにまたがる場合、各々の記録メディアに格納する動画像データを各々関連付けるようなファイル名を作成して複数の記録メディアに分割して順次記憶することができるとともに、分割された動画像データを複数の記録メディアから読取って合成した後に、再生することができる。このため、記録メディアの記録容量に依存せず、動画撮影処理によって得られた動画像データを連続して長時間格納、及び再生することが可能となる。
【００８９】
また、記録メディアの挿抜をＬＣＤ３４に表示することによって、ユーザに対して容易にメディア交換を促すことができる。
【００９０】
なお、上記図５及び図６に示す本実施の形態では、メモリ５２に該当記録メディアの空容量内の動画像データを格納した後に該当記録メディアに記録する場合を説明したが、順次動画撮影処理によって得られた連続する静止画像データを該当する記録メディアに格納するようにしてもよい。この場合、上記ステップ２０４の処理の後に、順次該当メディアに得られた静止画像データを取得順に格納し、該当記録メディアの空容量が所定サイズ未満となるまで、上記格納処理を繰り返す。そして、上位機空容量が所定サイズ未満となると、上記ステップ３０４乃至ステップ３１０の処理を実行した後に、上記格納処理を繰り返すようにすればよい。
【００９１】
このようにすれば、記録メディアの容量のみではなく、内蔵メモリの容量にも依存せずに、継続して動画撮影処理を実行することが可能となる。
【００９２】
なお、本実施の形態では、デジタルカメラには、記録メディアを装着するために２つのカードスロットを設ける場合を説明したが、３つ以上設けるようにしてもよい。その場合、カバー３６は、複数のカードスロットの内の該当メディアが装填されたカードスロットをロックするように駆動すればよい。
【００９３】
[第２の実施の形態]
上記実施の形態では、カバー３６が該当メディアの装填されたカードスロット側へ駆動することによって、該当メディアの装填されたカードスロットをロックし、ユーザによる記録中の記録メディアの挿抜を防止する場合を説明した。本実施の形態では、記録メディア挿抜を行うときにユーザによって操作されるイジェクトボタンを用意するとともに、該イジェクトボタンを電気的に制御することによって、該当メディアの装填されたカードスロットをロックする場合を説明する。なお、本実施の形態は、上記第１の実施の形態と同様の構成のため、同一部分には同一符号を付与して詳細な説明を省略する。
【００９４】
図９（Ａ）に示すように、本実施の形態のデジタルカメラ１１の筐体１３の側面には、スマートメディア等の記録メディア２０、記録メディア２２（図１（Ａ）参照）を装填可能なカードスロット３０、カードスロット３２が設けられている。また、カードスロット３０の近傍には、ＬＥＤ７２、カードスロット３２の近傍にはＬＥＤ７４が設けられている。ＬＥＤ７２及びＬＥＤ７４は、各々カードスロット３０及びカードスロット３２に装填された記録メディアへの記録及び読取り処理が実行中であるときに点灯するものである。
【００９５】
また、カードスロット３０及びカードスロット３２の近傍には、カードスロット切替ボタン７０が設けられている。カードスロット切替ボタン７０は、該当メディアの切替を指示するときに、ユーザによって押圧操作されるものである。また、カードスロット３０の近傍には、イジェクトボタン７６Ａ、及びロック機構７８が設けられいる。同様に、カードスロット３２の近傍には、イジェクトボタン７６Ｂ及びロック機構８０が設けられている。
【００９６】
イジェクトボタン７６Ａ及びイジェクトボタン７６Ｂは、各々カードスロット３０及びカードスロット３２に装填された記録メディアを筐体１３から外部へ排出するときに押圧操作されるものである。ロック機構７８及びロック機構８０は、図９（Ｂ）に示すように、各々上記イジェクトボタン７６Ａ及びイジェクトボタン７６Ｂの押圧操作によって、各々カードスロット３０及びカードスロット３２に装填された記録メディアの挿抜経路を塞ぐ、または解放するように駆動可能に設けられている。
【００９７】
図１０には、本実施の形態に係るデジタルカメラ１１の主要構成をブロック図として示した。デジタルカメラ１１は、第1の実施の形態のデジタルカメラ１０の駆動部５６及びスロットカバー３６を含まない構成となっている。デジタルカメラ１１は、駆動部７９及び駆動部８１を更に備えており、これらはバス５３に接続されている。駆動部７９は、カードスロット３０に更に設けられたロック機構７８に接続されている。駆動部８１は、カードスロット３２に更に設けられたロック機構８０に接続されている。また、デジタルカメラ１１には、バス５３を介して更に、イジェクトボタン７６Ａ、イジェクトボタン７６Ｂ、切替部５４、ＬＥＤ７２、及びＬＥＤ７４が接続されている。上記駆動部７９、駆動部８１、イジェクトボタン７６Ａ、イジェクトボタン７６Ｂ、切替部８４、ＬＥＤ７２、及びＬＥＤ７４は、バス５３を介してマイクロコンピュータとデータやコマンドの授受可能な構成となっている。
【００９８】
駆動部７９及び駆動部８１は、ＣＰＵ４６の制御によって記録メディア２０及び記録メディア２２を各々カードスロット３０、カードスロット３２から外部へ排出するための駆動部である。切替部８４には、スロット切替ボタン７０が接続されている。切替部８４は、ＣＰＵ４６の制御によって、スロット切替ボタン７０とバス５３との接続を通電状態または切断状態に切り替える。
【００９９】
なお、デジタルカメラ１１のその他の構成は、デジタルカメラ１０と同様のものであるため、詳細な説明を省略する。
【０１００】
なお、ロック機構７８及びロック機構８０が本発明の排出手段に相当し、上記ステップ６０２の処理が排出阻止手段の機能に相当する。
【０１０１】
次に、上記実施の形態に係るデジタルカメラ１１の作用を説明する。上述のように構成されたデジタルカメラ１１の動作の一例は、第1の実施の形態において図３、図５、図６、及び図８に示したフローチャートと略同様のものである。上記と異なる主要な点は、上記第1の実施の形態のカバー３６によるカードスロットのロック処理をロック機構７８及びロック機構８０の駆動に置き換えるものである。
【０１０２】
具体的には、上記第１の実施の形態の図３に示す処理ルーチンでは、ステップ１１４のカードスロットＡ側をロックする処理において、駆動部５６へカバー３６のカードスロットＡ側への移動を示す信号を出力するものとしたが、本実施の形態では、駆動部７９へロック機構７８によるカードスロット３０に装填された記録メディアの挿抜経路を塞ぐような駆動を指示する信号を出力する。また、駆動部８１へロック機構８０による記録メディアの挿抜経路を解放するような駆動を指示する信号を出力する。
【０１０３】
更に、次のステップ１１６において、上記実施の形態では、カバー状態メモリ処理が実行されるものとしたが、本実施の形態では、イジェクトボタン７６Ａからの信号入力を無効とする情報をメモリ５２に記憶するとともに、イジェクトボタン７６Ｂからの信号入力を有効とする情報をメモリ５２に記憶する。
【０１０４】
また、次のステップ１１８では、上記実施の形態では、ＬＣＤ３４へカードスロット３０に装填された記録メディアが交換可能な状態にあることを示す情報を表示するものとしたが、本実施の形態では、更にカードスロット３０の近傍に設けられたＬＥＤ７２を点灯する点灯処理が実行される。
【０１０５】
また、第1の実施の形態におけるステップ１２４乃至ステップ１２８の処理についても上述と同様に、本実施の形態では、ステップ１２４において駆動部８１へロック機構８０によるカードスロット３２に装填された記録メディアの挿抜経路を塞ぐような駆動を指示する信号を出力する。また駆動部７０へロック機構７８による挿抜経路を解放するような駆動を指示する信号を出力する。
【０１０６】
次のステップ１２６では、本実施の形態では、イジェクトボタン７６Ｂからの信号入力を無効とする情報をメモリ５２に記憶するとともに、イジェクトボタン７６Ａからの信号入力を有効とする情報をメモリ５２に記憶する。さらに、次のステップ１２８では、本実施の形態では、更にカードスロット３２の近傍に設けられたＬＥＤ７４を点灯する点灯処理が実行される。
【０１０７】
動画撮影処理においても、上記第1の実施の形態の図５に示す処理ルーチンと同様の処理が実行され、上記実施の形態のステップ２１４のメモリクリア処理が実行された後に、ＬＥＤ７４及びＬＥＤ７２を消灯するＬＥＤ消灯処理が実行された後に、動画撮影処理ルーチンが終了される。
【０１０８】
また上記第1の実施の形態のメディア連続格納処理（図６参照）では、ステップ３０８の該当カードスロットのロック解除処理において、駆動部５６へカバー３６の移動を示す信号を出力した。本実施の形態では、該当メディアの装填されたカードスロットに設けられた駆動部へ、該駆動部に接続されたロック機構によるカードスロットに装填された記録メディアの挿抜経路を解放するような駆動を指示する信号を出力する。また、非該当メディアの装填されたカードスロットに設けられた駆動部へ、該駆動部に接続されたロック機構によるカードスロットに装填された記録メディアの挿抜経路を塞ぐような駆動を指示する信号を出力する。この処理によって、ロック機構７８またはロック機構８０により、次メディアの装填されたカードスロット側がロックされる。
【０１０９】
また、更に本実施の形態では、メモリ５２に記憶された該当メディアを排出するためのイジェクトボタンからの信号入力を有効とする情報をメモリ５２に記憶するとともに、上記ロックされた記録メディアを排出するためのイジェクトボタンからの信号入力を無効とする情報をメモリ５２に記憶する。これによって、該当メディア、すなわちロックされた記録メディアのイジェクトボタンによる排出信号入力を無効とすることができる。
【０１１０】
次のステップ３１０では、上記実施の形態では、ＬＣＤ３４へ交換可能な状態にあるカードスロット側に装填された記録メディアを示す情報を表示するものとしたが、本実施の形態では、更にロックされた次メディアの装填されたカードスロット３０またはカードスロット３２の近傍に設けられたＬＥＤ３２またはＬＥＤ７４を点灯する点灯処理が実行される。
【０１１１】
次に再生処理について説明する。上記第１の実施の形態の再生処理（図８参照）では、ステップ４０２のカバー駆動処理において、駆動部５６へスロットカバー３６の移動を示す信号を出力した。本実施の形態では、ステップ４０２において、上記ステップ１１４及びステップ１１６の第1の実施の形態に置き換えて実行される上述した本実施の形態の処理と同じ処理が実行される。これによって、該当メディアの装填されたカードスロットがロックされると共に、該当メディア（ここでは記録メディアＡ）のイジェクトボタン７６Ａによる排出指示を無効とする情報がメモリに記憶される。また、非該当メディアのカードスロットのロックが解除されると共に、非該当メディア（ここでは記録メディアＢ）のイジェクトボタン７６Ｂによる排出指示を有効とする情報がメモリに記憶される。
【０１１２】
また、ステップ４１０のカバー駆動処理においても同様に、第1の実施の形態では、駆動部５６へスロットカバー３６の移動を示す信号を出力したが、本実施の形態では、ステップ４１０において、上記ステップ１２４及びステップ１２６の第1の実施の形態に置き換えて実行される上述した本実施の形態の処理と同じ処理が実行される。これによって、該当メディアの装填されたカードスロットがロックされると共に、該当メディア（ここでは記録メディアＢ）のイジェクトボタン７６Ｂによる排出指示を無効とする情報がメモリに記憶される。また、非該当メディアのカードスロットのロックが解除されると共に、非該当メディア（ここでは記録メディアＡ）のイジェクトボタン７６Ａによる排出指示を有効とする情報がメモリに記憶される。
【０１１３】
なお、第２の実施の形態では、所定時間毎に、図１１及び図１２に示す割り込み処理が実行される。
【０１１４】
デジタルカメラ１１では、所定時間毎にＣＰＵ４６では、図１１に示す処理ルーチンが実行されてステップ５００へ進む。
【０１１５】
ステップ５００では、スロット切替指示がなされたか否かを判断し、否定されると本ルーチンを終了する。ステップ５００の判断は、スロット切替ボタン７０による信号受信によって押圧操作されたか否かを判断することによって可能である。
【０１１６】
なお、スロット切替ボタン７０による信号は、ＬＥＤ７２、ＬＥＤ７４が消灯している状態において入力される。すなわち、上述したＣＰＵ４６の処理において、ＬＥＤ７２またはＬＥＤ７４を点灯する点灯処理が実行されると、切替部８４へ、カードスロット切替ボタン７０とバス５３との接続を断絶するように切替信号を出力する。また、同様に、ＬＥＤ７２またはＬＥＤ７４を消灯する点灯処理が実行されると、切替部８４へ、カードスロット切替ボタン７０とバス５３との間で、バス５３に接続されたその他のデバイスとデータやコマンドの授受可能となるように接続関係を形成するような切替信号を出力するようにする。このようにすれば、ＬＥＤ７２及びＬＥＤ７４が消灯している状態にのみ、カードスロット切替ボタン７０の押圧操作による信号入力が可能となる。
【０１１７】
ステップ５００で肯定されると、ステップ５０２へ進み、対象カードスロット切替処置が実行された後に、本ルーチンを終了する。ステップ５００の処理は、メモリ５２に記憶された該当メディアの設定を更新するものである。
【０１１８】
このように、デジタルカメラ１１に装填された記憶メディアへの動画像データの格納または読取り処理が実行されていない場合に、該当メディアをユーザの意図する記録メディアへと切り替えることができる。
【０１１９】
また、デジタルカメラ１１のＣＰＵ４６では、所定時間毎に図１２に示す処理ルーチンが実行されてステップ６００へ進む。
【０１２０】
ステップ６００では、イジェクトボタン指示がなされたか否かを判断し、否定されると本ルーチンを終了する。ステップ６００の判断は、イジェクトボタン７６Ａまたはイジェクトボタン７６Ｂによる信号受信によって押圧操作されたか否かを判断することによって可能である。
【０１２１】
ステップ６００で否定されると本ルーチンを終了し、肯定されるとステップ６０２へ進み、メディア使用中か否かを判断する。ステップ６０２の判断は、上記ステップ６００で入力されたイジェクトボタン７６Ａまたはイジェクトボタン７６Ｂによる信号に対応する信号入力を無効とする情報がメモリ５２に記憶されているか否かを判別することによって判断可能である。
【０１２２】
ステップ６０２で肯定されると、指示されたイジェクトボタンによる信号入力は無効であるため、本ルーチンを終了し、否定されるとステップ６０４へ進む。ステップ６０４では、信号入力が有効な状態にあるイジェクトボタンに対応する記録メディアを排出する排出処理が実行された後に、本ルーチンを終了する。
【０１２３】
以上説明したように、第２の実施の形態のデジタルカメラ１１では、記録メディアの挿抜を行うためのイジェクトボタンを用意し、このイジェクトボタンのユーザによる押圧による信号が、動画像データの格納対象外の記録メディアの排出にのみ有効となるように制御することができる。このため、記録中の記録メディアをユーザに対して挿抜不可能にロックするとともに、誤操作による記録中または再生中の記録メディアの挿抜を防ぐことができる。
【０１２４】
また、記録中または再生処理中の記録メディアが装填されたカードスロットの近傍にＬＥＤを設け、該ＬＥＤを該記録メディアの記録中または再生処理中に点灯することができるので、ユーザに対して容易に処理中の記録メディアを提示することができる。
【０１２５】
なお、本実施の形態では、イジェクトボタン７６Ａ及びイジェクトボタン７６Ｂが押圧操作されると、ロック機構７８及びロック機構８０は、ＣＰＵ４６の制御によって電気的に各々カードスロット３０及びカードスロット３２に装填された記録メディアの挿抜経路を塞ぐまたは解放する、すなわちロックまたはロック解除するように動作する場合を説明したが、機械的に記録メディアを排出するようにしてもよい。この場合、非該当メディアの装着されたスロットに設けられたロック機構にのみ、イジェクトボタンの押圧操作による駆動力が伝わるように切り替える切替機構を用意する。そして、ＣＰＵ６４の制御によって、この切替機構を制御するようにすればよい。このようにすれば、イジェクトボタン７６Ａまたはイジェクトボタン７６Ｂが押圧操作されることによって、機械的にカードスロット３０及びカードスロット３２に装填された非該当メディアが外部へ押し出される。
【０１２６】
また、本実施の形態では、ＬＥＤ７２及びＬＥＤ７４は、各々の近傍に設けられたカードスロットに装填された記録メディアへの処理中に点灯する場合を説明したが、更に、該記録メディアの空容量が少ない場合に、各ＬＥＤ７２及びＬＥＤ７４を点灯するようにしてもよい。
【図面の簡単な説明】
【０１２７】
【図１】本発明の実施の形態に係るデジタルカメラの外観図であり、（Ａ）は正面図、（Ｂ）は背面図、（Ｃ）はカードスロットカバーが一方に駆動した状態を示す側面図であり、（Ｄ）はカードスロットカバーが他方に駆動した状態を示す側面図である。
【図２】第1の実施の形態における、本実施の形態に係るデジタルカメラの主要構成を示すブロック図である。
【図３】第1の実施の形態における、本発明の実施の形態に係るデジタルカメラにおける処理の流れを示すフローチャートである。
【図４】ＬＥＤへの表示の一例を示す模式図であり、（Ａ）は、カードスロットＡに装填された記録メディアが交換可能であることを示す模式図であり、（Ｂ）は、カードスロットＢに装填された記録メディアが交換可能であることを示す模式図である。
【図５】第1の実施の形態における、動画撮影処理の流れを示すフローチャートである。
【図６】第1の実施の形態における、記録メディアＡから記録メディアＢへの連続格納処理を示すフローチャートである。
【図７】動画像データの複数の記録メディアへの記憶プロセスを示す模式図である。
【図８】第1の実施の形態における、再生処理の流れを示すフローチャートである。
【図９】（Ａ）は、第２の実施の形態におけるデジタルカメラの側面図であり、（Ｂ）は、ロック機構を示す概略図である。
【図１０】第２の実施の形態における、デジタルカメラの主要構成を示すブロック図である。
【図１１】第２の実施の形態における、切替指示が実行された場合の割り込み処理を示すフローチャートである。
【図１２】第２の実施の形態における、イジェクト指示が実行された場合の割り込み処理を示すフローチャートである。
【符号の説明】
【０１２８】
１０、１１  デジタルカメラ
２０、２２  記憶メディア
３０、３２  カードスロット
７０  カードスロット切替ボタン
７６Ａ、７６Ｂ  イジェクトボタン
７８、８０  ロック機構
【図１】
2005064926.tif 000003
【図２】
2005064926.tif 000004
【図３】
2005064926.tif 000005
【図４】
2005064926.tif 000006
【図５】
2005064926.tif 000007
【図６】
2005064926.tif 000008
【図７】
2005064926.tif 000009
【図８】
2005064926.tif 000010
【図９】
2005064926.tif 000011
【図１０】
2005064926.tif 000012
【図１１】
2005064926.tif 000013
【図１２】
2005064926.tif 000014